(57)【要約】【課題】  本発明は、身体に故障のある者の歩行を助けるための杖の使用を安全かつ安定性のあるものにすることを目的とする。【解決手段】  本発明は、一本の管体１の上端部を平面水平状に成る略Ｕ形状に曲折した肘当て部２を形成し、この肘当て部の一方を下方向に側面略Ｕ形状に曲折した腕当て部３を形成し、この腕当て部から反転して側面略Ｕ形状に曲折した把持部４を形成し、この把持部からさらに反転して側面略小Ｕ形状に曲折した支持部５を形成し、この支持部から垂直に延長して脚部６を形成して成る。【選択図】    図６
2005040569.tif 000002
【特許請求の範囲】
【請求項１】
一本の管体の上端部を平面水平状に成る略Ｕ形状に曲折した肘当て部を形成し、この肘当て部の一方を下方向に側面略Ｕ形状に曲折した腕当て部を形成し、この腕当て部から反転して側面略Ｕ形状に曲折した把持部を形成し、この把持部からさらに反転して側面略小Ｕ形状に曲折した支持部を形成し、この支持部から垂直に延長して脚部を形成して成ることを特徴とする歩行杖。
【請求項２】
一本の管体の上端部を平面水平状に成る略Ｕ形状に曲折した肘当て部を形成し、この肘当て部の一方から下方向に側面略Ｕ形状に曲折した垂直部を形成し、この垂直部から反転して側面略Ｕ形状に曲折した把持部を形成し、この把持部の下端部から垂直に延長して脚部を形成して成ることを特徴とする歩行杖。
【請求項３】
管体の肘当て部から腕当て部及び把持部にかけてカバー体を被包して成る請求項１に記載した歩行杖。
【請求項４】
管体の肘当て部から垂直部及び把持部にかけてカバー体を被包して成る請求項２に記載した歩行杖。
【発明の詳細な説明】
【技術分野】
【０００１】
本発明は、歩行杖に関するものである。
【背景技術】
【０００２】
正常な歩行の困難な者が、座った姿勢から立ち上がることを助けたり、立ち上がった後に歩行をスムースに行うことを助けるための杖については各種のものが公開されている。
【０００３】
例えば、（１）米国特許第４７８７４０５号（特許文献１参照）、（２）特許第３３０９３５７号（特許文献２参照）、（３）実開平２−６５９１９号（特許文献３参照）のごときものが存する中で、（３）のものは主杖と副杖とから成る垂直柱の上段と中段とに脇当て部と握り部とをそれぞれ設置した杖であるから、部材数の多さと構造によって製造コストが高くつくものであり、（１）（２）のものは１本のパイプ状のものではあるが、体躯を支持する安定性の面で問題があるものである。
【０００４】
【特許文献１】米国特許第４７８７４０５号明細書
【特許文献２】特許第３３０９３５７号公報
【特許文献３】実開平２−６５９１９号公報
【発明の開示】
【発明が解決しようとする課題】
【０００５】
そこで、本発明は、前記技術に見られる従来の歩行杖の諸欠点を一掃したものを提供することを目的とする。
【課題を解決するための手段】
【０００６】
本発明は、一本の管体の上端部を平面水平状に成る略Ｕ形状に曲折した肘当て部を形成し、この肘当て部の一方を下方向に側面略Ｕ形状に曲折した腕当て部を形成し、この腕当て部から反転して側面略Ｕ形状に曲折した把持部を形成し、この把持部からさらに反転して側面略小Ｕ形状に曲折した支持部を形成し、この支持部から垂直に延長して脚部を形成して成るものである。
【０００７】
本発明はまた、一本の管体の上端部を平面水平状に成る略Ｕ形状に曲折した肘当て部を形成し、この肘当て部の一方から下方向に側面略Ｕ形状に曲折した垂直部を形成し、この垂直部から反転して側面略Ｕ形状に曲折した把持部を形成し、この把持部の下端部から垂直に延長して脚部を形成して成るものである。
【発明の効果】
【０００８】
本発明によれば、歩行者が、腕の肘部分を確実に当接して位置を固定して歩行することができる。
【０００９】
また、仮に歩行中に転倒しそうになったときでも、手腕のかかる肘当て部の前方部分は開放状態になっているから、使用している杖自体によって骨折などの傷害を受けることはなく、常に安全に使用することができる。
【００１０】
杖全体は、一本のアルミニウム製の管材を一筆書き風の形状に曲折することによって構成しているから、軽量かつ低コストなものとなる。
【００１１】
脚部以外の管体はソフトカバー体で被包しているから、使用する者の手掌を含む手腕全体に対してやさしい感触を与えることができる。
【発明を実施するための最良の形態】
【００１２】
障害者が本杖を使用するときは、管体上端部の肘当て部に肘の後側部分を当接し、そのまま手腕を垂直に延ばして手掌を把持部に把持すれば、手腕の肘部分は確実に支持固定されるようになる。
【００１３】
また、本杖を使用した障害者が歩行中に転倒しそうな事故を起すことがあるが、そのような時であっても、手腕の肘部分から手首までの腕部分の前方部分は開放状態になっていて、把持部に把持している手掌を含む手腕全体の前方付近には何の支障もないことから、杖自体によって骨折などの傷害が与えられることはない。
【実施例１】
【００１４】
本発明にかかる歩行杖は、基本的には一本の管体を一筆書き風の形状によって構成するものである。
【００１５】
１は適当太さのアルミニウム材によって形成する管体で、この一本の管体は以下のように曲折した形状に成る。
【００１６】
２は前記管体１の上端部において平面水平の略Ｕ形状に曲折して成る肘当て部で、この肘当て部の構成は、以下説明する２つの実施例においては共通である。
【００１７】
以下は２つの実施例について、肘当て部以下の構成について説明する。
【００１８】
第１実施例は、図１ないし図７に示している。
【００１９】
３は前記肘当て部２の一方を下方向に側面略Ｕ形状に曲折形成した腕当て部である。
【００２０】
４は前記腕当て部３から反転して内方向に側面略Ｕ形状に曲折形成した把持部である。
【００２１】
５は前記把持部４からさらに反転して垂直方向に側面略小Ｕ形状に曲折形成した支持部である。
【００２２】
６は前記支持部５から垂直方向に延長して成る脚部である。この脚部の下方部には、第２実施例のように任意長さの連管体を嵌挿連結しても良い。
【００２３】
７は前記管体１に被包したソフトカバー体である。
【実施例２】
【００２４】
第２実施例は図８ないし図１４に示している。
【００２５】
８は肘当て部２の一方を下方向に側面略Ｕ形状に曲折形成した垂直部である。
【００２６】
９は前記垂直部１１から反転して側面略Ｕ形状に曲折形成した把持部である。
【００２７】
１０は前記把持部９の下端部から垂直方向に延長して成る脚部で、この脚部には適当間隔をおいて多数の通孔１１を設ける。
【００２８】
１３は前記脚部１０に嵌挿連結する連管体で、この連管体の上側部に弾機を介して設けた突子１２が前記脚部の通孔１１の一つに嵌合して固定するように成る。
【００２９】
１４は前記管体１に被包したソフトカバー体である。
【図面の簡単な説明】
【００３０】
【図１】第１実施例の全体の正面図
【図２】第１実施例の全体の右側面図
【図３】第１実施例の全体の平面図
【図４】第１実施例の全体の斜視図
【図５】図２Ａ−Ａ線断面図
【図６】第１実施例の左腕での使用状態図
【図７】第１実施例の右腕での使用状態図
【図８】第２実施例の全体の正面図
【図９】第２実施例の全体の右側面図
【図１０】第２実施例の全体の平面図
【図１１】第２実施例の全体の斜視図
【図１２】図９Ｂ−Ｂ線断面図
【図１３】第２実施例の左腕での使用状態図
【図１４】第２実施例の右腕での使用状態図
【符号の説明】
【００３１】
１                管体
２                肘当て部
３                腕当て部
４，９            把持部
５                支持部
６，１０          脚部
７，１４          ソフトカバー体
８                垂直部
【図１】
2005040569.tif 000003
【図２】
2005040569.tif 000004
【図３】
2005040569.tif 000005
【図４】
2005040569.tif 000006
【図５】
2005040569.tif 000007
【図６】
2005040569.tif 000008
【図７】
2005040569.tif 000009
【図８】
2005040569.tif 000010
【図９】
2005040569.tif 000011
【図１０】
2005040569.tif 000012
【図１１】
2005040569.tif 000013
【図１２】
2005040569.tif 000014
【図１３】
2005040569.tif 000015
【図１４】
2005040569.tif 000016